【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示した後、該変動表示を停止することで表示結果を導出し、該表示結果に応じて入賞が発生可能なスロットマシンにおいて、
遊技の制御を行う遊技制御手段と、
前記遊技制御手段から送信された制御情報に基づいて演出の制御を行う演出制御手段と、
表示結果を導出させるために操作される導出操作手段と、
前記遊技制御手段により制御される第１報知手段と、
前記演出制御手段により制御される第２報知手段と、を備え、
前記遊技制御手段は、
導出を許容する表示結果を決定する事前決定手段と、
表示結果を導出する制御を行う手段であって、前記事前決定手段の決定結果が複数種類の特定決定結果のうちいずれかの種類の特定決定結果となった場合において、該特定決定結果の種類に応じた操作態様にて前記導出操作手段が操作されたときに、該特定決定結果の種類に応じた操作態様以外の操作態様にて前記導出操作手段が操作されたときよりも遊技者にとって有利な表示結果を導出する制御を行う導出制御手段と、
前記事前決定手段の決定結果がいずれかの種類の特定決定結果となったときに、該特定決定結果の種類に応じた操作態様に対応する遊技操作態様情報を前記第１報知手段に報知させる制御を行うことが可能な第１報知制御手段と、を含み、
前記演出制御手段は、前記事前決定手段の決定結果がいずれかの種類の特定決定結果となったときに、該特定決定結果の種類に応じた操作態様に対応する演出操作態様情報を前記第２報知手段に報知させる制御を行うことが可能な第２報知制御手段を含み、
前記第１報知制御手段は、
遊技操作態様情報の報知を開始させた後、該遊技操作態様情報に対応する操作態様で前記導出操作手段が操作された場合に、該遊技操作態様情報の報知を継続させる制御を行い、
遊技操作態様情報の報知を開始させた後、該遊技操作態様情報に対応する操作態様とは異なる操作態様で前記導出操作手段が操作された場合にも、該遊技操作態様情報の報知を継続させる制御を行い、
前記第２報知制御手段は、
演出操作態様情報の報知を開始させた後、該演出操作態様情報に対応する操作態様で前記導出操作手段が操作された場合に、該演出操作態様情報の報知を継続させる制御を行い、
演出操作態様情報の報知を開始させた後、該演出操作態様情報に対応する操作態様とは異なる操作態様で前記導出操作手段が操作された場合に、該演出操作態様情報の報知を終了させる制御を行い、
各々が識別可能な複数種類の識別情報が描かれた帯状のリール帯と、
前記リール帯を外周に取り付け可能な環状のリール枠と、
前記リール枠の内側から前記リール帯に対して光を照射可能な照射手段とを備え、
前記リール帯は、前記複数種類の識別情報が描かれた面を前記リール枠に対して外側にして、リール帯の長手方向の両端部のうち、一端部に他端部を重ねることで前記リール枠に取り付けられ、
前記複数種類の識別情報は、前記照射手段からの光を透過させる透過度合いが異なる識別情報を含み、
前記他端部には、前記複数種類の識別情報のうち、前記透過度合いが特定の識別情報よりも低い所定の識別情報が描かれている、スロットマシン。
【手続補正２】
【補正対象書類名】明細書
【補正対象項目名】０００４
【補正方法】変更
【補正の内容】
【０００４】
このようなスロットマシンの中には、所定の入賞を発生させるためにストップスイッチの操作手順が遊技者に報知されるアシストタイム（Ａｓｓｉｓｔ  Ｔｉｍｅ、以下、ＡＴとも称する）に制御されるスロットマシンがあった（たとえば、特許文献１参照）。
【手続補正３】
【補正対象書類名】明細書
【補正対象項目名】０００６
【補正方法】変更
【補正の内容】
【０００６】
特許文献１に記載のスロットマシンには、改良の余地があった。
【手続補正４】
【補正対象書類名】明細書
【補正対象項目名】０００７
【補正方法】変更
【補正の内容】
【０００７】
この発明は、かかる実情に鑑み考え出されたものであり、その目的は、操作ミスをした場合に遊技者に対して煩わしい思いをさせてしまうことを防止できるスロットマシンを提供することである。
【手続補正５】
【補正対象書類名】明細書
【補正対象項目名】０００８
【補正方法】変更
【補正の内容】
【０００８】
上記課題を解決するために、本発明のスロットマシンは、
（Ａ）  各々が識別可能な複数種類の識別情報を変動表示した後、該変動表示を停止することで表示結果を導出し、該表示結果に応じて入賞が発生可能なスロットマシンにおいて、
遊技の制御を行う遊技制御手段と、
前記遊技制御手段から送信された制御情報に基づいて演出の制御を行う演出制御手段と、
表示結果を導出させるために操作される導出操作手段と、
前記遊技制御手段により制御される第１報知手段と、
前記演出制御手段により制御される第２報知手段と、を備え、
前記遊技制御手段は、
導出を許容する表示結果を決定する事前決定手段と、
表示結果を導出する制御を行う手段であって、前記事前決定手段の決定結果が複数種類の特定決定結果のうちいずれかの種類の特定決定結果となった場合において、該特定決定結果の種類に応じた操作態様にて前記導出操作手段が操作されたときに、該特定決定結果の種類に応じた操作態様以外の操作態様にて前記導出操作手段が操作されたときよりも遊技者にとって有利な表示結果を導出する制御を行う導出制御手段と、
前記事前決定手段の決定結果がいずれかの種類の特定決定結果となったときに、該特定決定結果の種類に応じた操作態様に対応する遊技操作態様情報を前記第１報知手段に報知させる制御を行うことが可能な第１報知制御手段と、を含み、
前記演出制御手段は、前記事前決定手段の決定結果がいずれかの種類の特定決定結果となったときに、該特定決定結果の種類に応じた操作態様に対応する演出操作態様情報を前記第２報知手段に報知させる制御を行うことが可能な第２報知制御手段を含み、
前記第１報知制御手段は、
遊技操作態様情報の報知を開始させた後、該遊技操作態様情報に対応する操作態様で前記導出操作手段が操作された場合に、該遊技操作態様情報の報知を継続させる制御を行い、
遊技操作態様情報の報知を開始させた後、該遊技操作態様情報に対応する操作態様とは異なる操作態様で前記導出操作手段が操作された場合にも、該遊技操作態様情報の報知を継続させる制御を行い、
前記第２報知制御手段は、
演出操作態様情報の報知を開始させた後、該演出操作態様情報に対応する操作態様で前記導出操作手段が操作された場合に、該演出操作態様情報の報知を継続させる制御を行い、
演出操作態様情報の報知を開始させた後、該演出操作態様情報に対応する操作態様とは異なる操作態様で前記導出操作手段が操作された場合に、該演出操作態様情報の報知を終了させる制御を行い、
各々が識別可能な複数種類の識別情報が描かれた帯状のリール帯と、
前記リール帯を外周に取り付け可能な環状のリール枠と、
前記リール枠の内側から前記リール帯に対して光を照射可能な照射手段とを備え、
前記リール帯は、前記複数種類の識別情報が描かれた面を前記リール枠に対して外側にして、リール帯の長手方向の両端部のうち、一端部に他端部を重ねることで前記リール枠に取り付けられ、
前記複数種類の識別情報は、前記照射手段からの光を透過させる透過度合いが異なる識別情報を含み、
前記他端部には、前記複数種類の識別情報のうち、前記透過度合いが特定の識別情報よりも低い所定の識別情報が描かれている。
さらに、他の態様に係る遊技機は、
（１）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシン（たとえば、スロットマシン１）において、
特定表示結果の組合せについて導出を許容する（たとえば、７リプレイ１，２に当選する）か否かを決定する事前決定手段（たとえば、内部抽選を実行する処理）と、
遊技者が前記複数の可変表示部各々に表示結果を導出させるために操作する導出操作手段（たとえば、ストップスイッチ８Ｌ，８Ｃ，８Ｒ）と、
前記事前決定手段の決定により前記特定表示結果の組合せの導出が許容され、かつ前記導出操作手段が特定手順（たとえば、図３３に示すように、中第１停止かつＬＭ２上に赤７図柄を引き込むタイミング）で操作されたときに、前記複数の可変表示部に前記特定表示結果の組合せ（たとえば、赤７図柄揃い）を導出する制御を行う導出制御手段（たとえば、リール制御を実行する処理）と、
特典を付与するか否かを決定する特典決定手段（たとえば、図２８に示すＡＴ抽選を実行する処理）と、
前記特典が付与されることが決定されているときに、前記導出操作手段の操作手順として前記特定手順を報知する操作手順報知手段（たとえば、図３３（ｃ）に示すように、停止順（「２１３」）および停止タイミング（「７を狙え」）を報知する７ナビ演出を実行する処理）と、
前記特典が付与されることが決定されているときに、当該特典の付与を報知する特典付与報知手段（たとえば、ナビストックの付与を報知（「ナビ獲得！！」）する処理）とを備え、
前記特典付与報知手段は、前記事前決定手段の決定により前記特定表示結果の組合せの導出が許容され、かつ前記操作手順報知手段により前記特定手順が報知された場合（たとえば、７リプレイ１に当選し、かつ７ナビ演出が実行された場合）において、
前記導出操作手段が前記特定手順（たとえば、中第１停止かつ下段に赤７の図柄を引き込むタイミング）で操作されたときには、前記特定表示結果の組合せが導出されたタイミングで前記特典の付与を報知する第１特典付与報知手段（たとえば、図３３（ｆ）に示すナビストックの付与を報知する処理）と、
前記導出操作手段が前記特定手順以外の操作手順で操作されたときには、当該特定表示結果の組合せを構成する表示結果以外の表示結果が導出されたタイミングで前記特典の付与を報知する第２特典付与報知手段（たとえば、図３３（ｇ），（ｈ）に示すナビストックの付与を報知する処理）とを含む。